(57)【要約】【課題】ホールＩＣを利用して、複雑なリンク機構を必要とすることなく、簡単且つ誤作動の低減した扉体の開閉を検出する貯蔵庫を提供する。【解決手段】貯蔵室を持つ冷蔵庫本体と、該本体側に配置された制御装置に連結するホ−ルＩＣと、該本体の貯蔵室の前面開口部を蓋する扉体と、該扉体に配置され該ホ−ルＩＣのON-OFFを切り替える永久磁石と、該扉体に配置された操作部を備えた貯蔵庫において、更に、常には上記ホ−ルＩＣを動作させる前記永久磁石は、該ホ−ルＩＣを動作させる位置より下方にあり、前記操作部を操作した時、該ホ−ルＩＣを動作させることが出来る位置まで持ち上げる機構を備えた冷蔵庫。【選択図】図５
2011038677.tif 000002
【特許請求の範囲】
【請求項１】
貯蔵室を持つ冷蔵庫本体と、該本体側に配置された制御装置に連結するホ−ルＩＣと、該本体の貯蔵室の前面開口部を蓋する扉体と、該扉体に配置され該ホ−ルＩＣのON-OFFを切り替える永久磁石と、該扉体に配置された操作部を備えた貯蔵庫において、更に、常には上記ホ−ルＩＣを動作させる前記永久磁石は、該ホ−ルＩＣを動作させる位置より下方にあり、前記操作部を操作した時、該ホ−ルＩＣを動作させることが出来る位置まで持ち上げる機構を備えたことを特徴とする冷蔵庫。
【請求項２】
前記機構において、前記ホ−ルＩＣを動作させる前記永久磁石は、自重により、該ホ−ルＩＣを動作させることが出来ない位置まで、作動ピンを中心に下がるようにしたことを特徴とする前記請求項１に記載の冷蔵庫。
【請求項３】
前記扉体表面側に設けた前記操作部において、前記永久磁石を支えるフレ−ムの一部を押すと、当該操作部の移動距離が拡大され、もって、前記ホ−ルＩＣを動作させる前記永久磁石に伝えられるよう、前記フレ−ムの途中に作動ピンを設けたことを特徴とする前記請求項１に記載の冷蔵庫。
【発明の詳細な説明】
【技術分野】
【０００１】
本発明は、冷蔵庫に関し、特に、かかる冷蔵庫において、その扉体の開閉を、特に、磁気素子を利用して検出する貯蔵庫に関する。
【背景技術】
【０００２】
従来、貯蔵室を持つ主に冷凍冷蔵庫においては、本体前面開口部を蓋する扉体を有している。そして、使用者は、その扉を開放することにより貯蔵室に保存していたものを取り出す構造となっている。近年その扉を自動で開放、または開放補助をし、使いやすさを向上させたものが市販されるようになってきた。この冷凍冷蔵庫は、扉を自動で開放させる為に扉体側に釦等の操作部を設けて、その操作部からの指令を貯蔵庫の本体側に伝え、貯蔵庫本体側に取り付けられた機構部が作動する仕組みとなっている。
【０００３】
その中でも、特に、扉体から本体への指令の伝達方法として磁力を用いたものでは、本体側に磁気素子であるホールＩＣを設け、扉体側に永久磁石を設けている。そして、操作部からの指令でその永久磁石を移動させることで磁力場を変化させ、ホールＩＣのON-OFFを切り替えている。永久磁石を移動させ開放装置を管理する方法では、永久磁石をホールＩＣの作動範囲外まで出す為に、永久磁石の移動距離が大きくなる。その移動量を確保する為に釦等の操作部の押引量を増幅させる増幅機構を用いることが多い。その増幅機構には、多くの部品や、複雑な機構が必要とされている。
【０００４】
また、ホールＩＣと永久磁石との間の距離でON-OFF管理しているが、永久磁石が取り付けられた扉体とホールＩＣが取り付けられた貯蔵庫本体の間には、ゴムパッキンを介在しているものが多く、バラツキなく常に一定の距離を確保するのは難しい。
【先行技術文献】
【特許文献】
【０００５】
【特許文献１】特開２００６−３０８１６号公報
【発明の概要】
【発明が解決しようとする課題】
【０００６】
しかしながら、上述した従来技術では、冷蔵庫の製品幅方向の２次元的な動きでマグネットを回転させており、そのため、機構が複雑となり、経年変化により誤作動を生じてしまう等の問題があった。
【０００７】
そこで、本発明では、上述した従来技術における問題点に鑑み、ホールＩＣを利用して、複雑なリンク機構を必要とすることなく、即ち、簡単な機構で且つ誤作動の低減した扉体の開閉を検出することが可能な貯蔵庫を提供することをその目的とする。
【課題を解決するための手段】
【０００８】
そこで、本発明によれば、上述した目的を達成するため、まず、貯蔵室を持つ冷蔵庫本体と、該本体側に配置された制御装置に連結するホ−ルＩＣと、該本体の貯蔵室の前面開口部を蓋する扉体と、該扉体に配置され該ホ−ルＩＣのON-OFFを切り替える永久磁石と、該扉体に配置された操作部を備えた貯蔵庫において、更に、常には上記ホ−ルＩＣを動作させる前記永久磁石は、該ホ−ルＩＣを動作させる位置より下方にあり、前記操作部を操作した時、該ホ−ルＩＣを動作させることが出来る位置まで持ち上げる機構を備えた冷蔵庫が提供される。
【０００９】
また、本発明では、前記に記載の冷蔵庫の前記機構において、前記ホ−ルＩＣを動作させる前記永久磁石は、自重により、該ホ−ルＩＣを動作させることが出来ない位置まで、作動ピンを中心に下がるようにすることが好ましく、又は、前記永久磁石を支えるフレ−ムの一部を押すと、当該操作部の移動距離が拡大され、もって、前記ホ−ルＩＣを動作させる前記永久磁石に伝えられるよう、前記フレ−ムの途中に作動ピンを設けることが好ましい。
【発明の効果】
【００１０】
上述した本発明になる冷蔵庫によれば、ホールＩＣを利用し、簡単な機構で、永久磁石の位置を移動し、当該ホ−ルＩＣを動作させることが可能であり、もって、誤作動の低減した扉体の開閉を検出することが可能であり、更には、簡単で小さな機構となる為、意匠性や組立性を向上させた貯蔵庫を提供することを可能とするという実用的にも優れた効果を発揮する。
【図面の簡単な説明】
【００１１】
【図１】本発明の一実施の形態になる冷蔵庫の正面図である。
【図２】上記冷蔵庫における内部の詳細構造を示すためのＡ−Ａ断面図である。
【図３】本発明の特徴となる冷蔵庫の、特に、その引出扉を説明するための一部拡大上面図である。
【図４】上記図３に示した本発明になる冷蔵庫の引出扉の内部構造を示す一部拡大断面図である。
【図５】上記図３に示した本発明になる冷蔵庫の引出扉の内部構造を示すための縦断面図であり、上記図３のＢ−Ｂ断面図である。
【図６】上記引出扉の動作を示すための上記図５と同様の縦断面図であり、但し、扉の引き出し動作後の状態を示す縦断面図である。
【発明を実施するための形態】
【００１２】
以下、本発明の一実施の形態について、添付の図面を参照しながら、詳細に説明する。
【００１３】
まず、添付の図１は、本発明の一実施例になる冷蔵庫の正面図であり、図２は、上記図１に示した冷蔵庫のＡ−Ａ断面図である。
【００１４】
まず、図１には、冷蔵庫本体の正面図が示されており、本発明を採用した冷蔵庫本体１は、図からも明らかなように、複数の観音開き式の回転扉（上方の２段）と複数の引出扉（下方の２段）とを含む、複数の扉３、３有している。しかしながら、本発明は、これにのみ限定されることなく、例えば、回転扉がなく、引出扉のみで構成されている冷蔵庫、又は、引出扉がなく回転扉のみで構成された冷蔵庫にも適用することができる。
【００１５】
次に、添付の図２には、上記図１に示した冷蔵庫本体１の内部の詳細構造が、図１のＡ−Ａ断面により示されており、この図２に於いて、符号２は、上記冷蔵庫本体１の上下方向の仕切り壁に取り付けられているホールＩＣである。このホールＩＣ２は、扉と対向する位置に配置されている。なお、図中の符号３は冷蔵庫本体の前面開口部を閉塞する扉であり、ホールＩＣ２と対向する面に取り付けられた扉であり、符号４は、冷蔵庫の制御装置を、そして、符号５は自動扉開放装置をそれぞれ示している。
【００１６】
なお、上述した冷蔵庫では、上記ホールＩＣ２のON-OFFの情報を元に、制御装置４は自動扉開放装置５を作動させる。そして、自動扉開放装置５が作動することによって、扉３が自動的に開放される様に働く。
【００１７】
また、上記図２において、符号６は永久磁石であり、ホールＩＣ２と対向した扉３に配置されている。この永久磁石６の磁力の変化によってホールＩＣ２のON-OFFが切り替わる。符号７は磁力を遮断する素材で出来た磁力遮蔽板であり、ホールＩＣ２と永久磁石６の間に位置する。即ち、この磁力遮蔽板７が移動することでホールＩＣ２に伝わる永久磁石６からの磁力を変動させる。その為、永久磁石６を移動させなくとも、ホールＩＣ２のON-OFF切り替えることが出来る。
【００１８】
換言すると、本発明に於いては、ホールＩＣと永久磁石は、始めから、例えば、ホールＩＣを動作させることが出来る距離(磁場内)に位置させておき、磁力遮蔽板の介在により、上記磁場を遮断し、もって、ホールＩＣをONからOFFに、あるいは、OFFからONに切り替えるようにしたものである。
【００１９】
加えて、上記図２において、符号８は、貯蔵庫内に貯蔵している食料等を見やすくする為に設置された庫内灯である。この庫内灯は、図示以外の位置に取り付けられていても構わない。符号９は庫内の冷気を効率よく循環させる為のファンであり、符号１０はブザーであり、扉の閉め忘れ等を防止する為、例えば、扉が開放された状態で一定の時間を経過すると、警告音を発生する。なお、このように、当該一つのホールＩＣによって、上記自動扉開放装置５と共に、上述した庫内灯８やファン９やブザー１０等を、同時に制御することによれば、ホールＩＣの利用効率が向上することとなる。
【００２０】
次に、図３は、本発明になる貯蔵庫、特に、その引出扉の要部を説明する一部拡大上面図である。即ち、冷蔵庫本体１の上下方向の仕切り壁の内部には、上述したホールＩＣ２が配置されると共に、開口部を閉塞する引出扉３には、当該ホールＩＣに対向する位置に、上述した永久磁石６を含む操作部３０が取り付けられている。なお、この操作部３０とは、以下の図面からの明らかになるように、利用者の手を引っ掛ける部材であり、その一部には、押しボタン３１を備えており、利用者が当該引出扉３を引き出す（開ける）際、当該押しボタン３１を押下して引出扉３を引き出すこととなる。
【００２１】
更に、添付の図４及び図５には、上記ホールＩＣ２と共に引出扉３の内部に取り付けられた操作部３０の内部の詳細な構造を示す一部拡大断面図と、更に、その縦断面図（図４におけるＢ−Ｂ断面）が示されている。
【００２２】
これらの断面図からも明らかなように、上記操作部３０は、例えば、鉄系の金属のように、磁気遮蔽効果を備えた金属板を箱状に形成してなる筐体４０からなっており、その内部には、外形が略板状の永久磁石６が回転自在に取り付けられている。即ち、この筐体４０は、当該永久磁石６の外周を取り囲むように形成されると共に、上記ホールＩＣ２に対向する面（図４では上側面、図５では右側面）の一部を切り欠いて、開口部４１を形成している。
【００２３】
また、図からも明らかなように、上記板状の永久磁石６には、磁石を支えるためのフレ−ム６１が取り付けされており、その一方の端部（図４では下側端部、図５では左側端部）には、一対の作動ピン６２、６２が設けられている。そして、当該作動ピンを、筐体４０に一体に設けた一対の軸受け部４２、４２により保持することにより、上記の永久磁石６は、当該作動ピンを中心として、回転自在に取り付けられている。
【００２４】
また、上記フレ−ム６１の一方の端部６３は、更に、略「Ｖ」字状に折り曲げて形成されると共に、その先端部に溝を形成して、所謂、引掛部（６３）を構成している。そして、一方、上記押しボタン３１の背面側には、略「Ｚ」字状に形成されたロッド部材３２が固定され、当該ロッド部材の一部は、上記筐体４０の内部の壁面４３に開口した貫通孔４４に挿入されると共に、更に、その先端部には、例えば、二重の円板などからなる係止部３３が形成されている。そして、これらフレ−ム６１と押しボタン３１は、上述した引掛部６３と係止部３３を介して、互いに、機械的に連結されており、もって、上記永久磁石６を上下に移動するために移動機構を構成している。
【００２５】
続いて、以上にその詳細な構造を説明した冷蔵庫において、上記引出扉の引き出した時の上記操作部３０を構成する移動機構の動作について、上記の図５と共に、以下の図６を参照しながら説明する。なお、上記の図５は、引出扉の引き出す前の状態を、そして、図６は、利用者が当該引出扉を引き出した状態を、それぞれ、示している。
【００２６】
上記図５にも示すように、利用者が上記引出扉の引き出す前の状態では、上記磁石６は、その自重によりそのフレ−ム６１と共に下方に移動している（即ち、図の例では、一対の作動ピン６２、６２を中心として右側が下がっている）。なお、この状態では、上記磁石６からの磁力は、磁気遮蔽効果を備えた部材から形成された筐体４０の内部に閉じ込められており、ホールＩＣ２に伝わる永久磁石６からの磁力は比較的弱い。
【００２７】
そして、利用者が当該引出扉を引き出そうとして、扉に形成した手掛け部３８に指を掛けると同時に、その親指などで上記押しボタン３１を押下すると、図５に矢印で示すように、当該押しボタン３１と共にロッド部材３４が同時に移動し、そして、上記フレ−ム６１の引掛部６３が矢印方向に移動することにより、磁石６は、そのフレ−ム６１と共に、一対の作動ピン６２、６２を中心として上方に向かって回転移動する。
【００２８】
図６には、上述した移動機構の動作によって磁石６が上方に回転移動した後の状態が示されており、この状態では、図からも明らかなように、上記板状の磁石６は、その端面（図の右側面）を上記筐体４０の開口部４１を介してホールＩＣ２に対向する位置に移動する。そのため、上記磁石６から当該ホールＩＣ２に伝わる磁力は、上記図５の場合に比較して強くなる。即ち、操作部である押しボタン３１の移動距離が拡大されて、ホ−ルＩＣを動作させる磁石に伝えられることとなる。これによりホールＩＣに伝わる磁力が変動し、その為、ホールＩＣのON-OFF切り替えることが出来る。そして、このホールＩＣのON-OFF切り替えにより、上記自動扉開放装置５と共に、上述した庫内灯８やファン９やブザー１０等を、同時に制御する。
【００２９】
その後、当該引出扉を引き出し操作が完了し、利用者が上述した手掛け部３８や押しボタン３１から手を離すと、上述したように、磁石６はその自重により元の位置に移動し、同時に、押しボタン３１も元に位置に戻る。或いは、上記のような縦型構造ではない場合には、ここでは図示しないが、上記押しボタン３１を、例えば、バネ等の弾性部材を利用することにより、常に、外側（図４では下方向、図５では左方向）に向かって付勢する構造とすることも可能であろう。
【００３０】
また、上述した磁石と共にその移動機構をその内部に収納する上記筐体４０を、例えば、樹脂部材により形成された磁力遮蔽板ケースとすることによれば、その内部において摩擦などによって生じる異音等が外部に漏れ出すことを防ぐことが出来る。
【００３１】
即ち、上記の実施例の構造では、特に、磁石の自重を利用し磁石を製品の高さ方向で２次元的に回転させていことから、磁石を移動させる距離が少なくてすむため、簡単な機構で且つ誤作動の低減した扉体の開閉を検出することが可能となる。また、上記の説明では、特に、本発明の移動機構を引き出し式の引出扉に適用した場合について述べたが、しかしながら、本発明はこれに限定されることなく、その他、回転式の扉に対しても同様に適用することが可能であり、かつ、上述したと同様の効果が得られることは、当業者であれば明らかであろう。
【符号の説明】
【００３２】
１…冷蔵庫本体、２…ホールＩＣ、３…扉、４…制御装置、５…自動扉開放装置、６…永久磁石、８庫内灯、９…ファン、１０…ブザー、３０…操作部、３１…押しボタン、４０…筐体、４１…開口部、４３…壁面、４４…貫通孔、６１…フレ−ム、６２…作動ピン、６３…引掛部。
【図１】
2011038677.tif 000003
【図２】
2011038677.tif 000004
【図３】
2011038677.tif 000005
【図４】
2011038677.tif 000006
【図５】
2011038677.tif 000007
【図６】
2011038677.tif 000008